(57)【特許請求の範囲】
【請求項１】
動力を受けて回転するブラシ回転盤の底面に、複数本のブラシ部材を放射状又は放射状に近い形状に取付け、上記ブラシ回転盤と共に回転するこれ等各ブラシ部材によって床面を洗浄するように構成した床面洗浄機用ブラシ装置であって、
上記ブラシ回転盤の底面に、上記のブラシ部材を着脱自在に構成した複数のブラシ取付けガイドを放射状又は放射状に近い形状に設け、これ等各ブラシ取付けガイドの内部には、全体が中央部を上方又は下方に向けて突出した断面略ヘ字形、又は、断面略逆ヘ字形の板状に形成され、この突出した中央部を上記ブラシ取付けガイドの天井面、又は、上記ブラシ部材の上面に押接することによって、挿入したブラシ部材を下方に弾圧してその取付け状態を維持することができるように構成したバネ材を介在せしめたことを特徴とする床面洗浄機用ブラシ装置。
【請求項２】
前記各ブラシ取付けガイドの天井面、或は、前記各ブラシ部材の上面のいずれかに、断面略ヘ字形、又は、断面略逆ヘ字形の板状に形成したバネ材の突出した中央部を嵌込むための嵌込溝と、バネ材の端部を係止する係止溝を設けたことを特徴とする請求項１記載の床面洗浄機用ブラシ装置。
【請求項３】
前記ブラシ回転盤の底面に設ける各ブラシ取付けガイドを、ブラシ回転盤の中心側から上記のブラシ部材を放射方向に差込んで嵌込むことができ、且つ、その外端面にブラシ部材の抜け出しを防止するストッパー壁を設けた断面略枠型形状に形成したことを特徴とする請求項１又は２記載の床面洗浄機用ブラシ装置。
【発明の詳細な説明】
【０００１】
【発明の属する技術分野】
本発明は、モータで洗浄ブラシを高速回転して床面を洗浄する床面洗浄機の技術分野に属するものであって、具体的には、床面洗浄機に実施して好適なブラシ装置に関するものである。
【０００２】
【従来の技術】
床面洗浄機用のブラシ装置に関しては、従来より、例えば特開平３−１７８６２６号公報に記載されているように、モータによって回転する回転盤の底面に複数本の取付溝を放射状に凹設し、これ等各取付溝にブラシ部材を嵌込んでネジ等で固定した構造のものが存在する。この構造のブラシ装置によれば、各ブラシ部材は部分的に交換可能であるから、ブラシの毛が痛んだり摩耗した場合に、これ等痛んだり摩耗したブラシ部材を取付溝から取外して新しいものと交換すれば、引続き使用可能に成ってブラシ全体として寿命を延ばすことができる利点を備えている。
【０００３】
【発明が解決しようとする課題】
ところが、上記の様に回転盤の底面に直接ブラシ部材を取付けた構造の従来のブラシ装置は、床面の凹凸や傾斜に影響を受けたり、或は、ブラシの摩耗や新しいブラシの交換等が原因で、ブラシ同士の間に段差が生じた場合に、床面に対するブラシ接触圧が不均一に成って洗浄ムラが発生してしまう問題があった。
【０００４】
従って本発明の技術的課題は、ブラシの交換が可能であるだけではなく、床面に凹凸や傾斜があったり、ブラシの摩耗や新しいブラシの交換等が原因で、ブラシ同士の間に段差が生じた場合でも、床面に対するブラシの接触圧を均一に保って、洗浄ムラが発生しないように工夫した床面洗浄機用ブラシ装置を提供することである。
【０００５】
【課題を解決するための手段】
（１）  上記の技術的課題を解決するために、本発明では前記請求項１に記載の如く、動力を受けて回転するブラシ回転盤の底面に、複数本のブラシ部材を放射状又は放射状に近い形状に取付け、上記ブラシ回転盤と共に回転するこれ等各ブラシ部材によって床面を洗浄するように構成した床面洗浄機用ブラシ装置であって、上記ブラシ回転盤の底面に、上記のブラシ部材を着脱自在に構成した複数のブラシ取付けガイドを放射状又は放射状に近い形状に設け、これ等各ブラシ取付けガイドの内部には、全体が中央部を上方又は下方に向けて突出した断面略ヘ字形、又は、断面略逆ヘ字形の板状に形成され、この突出した中央部を上記ブラシ取付けガイドの天井面、又は、上記ブラシ部材の上面に押接することによって、挿入したブラシ部材を下方に弾圧してその取付け状態を維持することができるように構成したバネ材を介在せしめるように構成している。
【０００６】
（２）  また、本発明では前記請求項２に記載の如く、前記各ブラシ取付けガイドの天井面、或は、前記各ブラシ部材の上面のいずれかに、断面略ヘ字形、又は、断面略逆ヘ字形の板状に形成したバネ材の突出した中央部を嵌込むための嵌込溝と、バネ材の端部を係止する係止溝を設けるように構成している。
【０００７】
（３）  更に本発明では、前記請求項３に記載の如く、前記ブラシ回転盤の底面に設ける各ブラシ取付けガイドを、ブラシ回転盤の中心側から上記のブラシ部材を放射方向に差込んで嵌込むことができ、且つ、その外端面にブラシ部材の抜け出しを防止するストッパー壁を設けた断面略枠型形状に形成するように構成している。
【０００８】
上記（１）で述べた請求項１に係る手段によれば、ブラシ回転盤の各ブラシ取付けガイド内に取付けたブラシ部材が、ブラシ取付けガイド内に介在されたバネ材の弾発力によって、下方に弾圧されて取付けた状態が維持されているため、各ブラシ部材毎に上記バネ材によるクッション効果が発揮されて、洗浄する床面に凹凸や傾斜があったり、或は、摩耗や交換等が原因でブラシ部材同士の間に段差が生じた場合でも、これ等の凹凸や傾斜、段差を全てバネ材が吸収して、ブラシ部材を床面に対して均一な力が押し付けることができるから、床面の洗浄ムラを無くしてきれいに洗浄することを可能にする。
【０００９】
更に上記（１）で述べた請求項１に係る手段によれば、断面略ヘ字形、又は、断面略逆ヘ字形の板状に形成したバネ材の突出した中央部を、ブラシ取付けガイドの天井面又はブラシ部材の上面に押接することによって、バネ材がブラシ部材をほぼ点で支える状態に成るため、ブラシ部材を床面に対してユニバーサルな動きをさせることができるものであって、その結果、前記バネ材の弾圧力と共同して各ブラシ部材を底面に対して均一な圧力で接触させて、洗浄ムラが生じないように洗浄することを可能にする。
【００１０】
上記（２）で述べた請求項２に係る手段によれば、バネ材の突出した中央部を嵌込溝に嵌込み、また、バネ材の端部を係止溝に係止するため、ブラシ回転盤が高速回転してもバネ材がブラシ取付けガイドの内部から外れる心配がなく、ブラシ部材を位置決めし、且つ、下方に弾圧してその取付状態を維持することを可能にする。
【００１１】
上記（３）で述べた請求項３に係る手段によれば、断面略枠型に形成したブラシ取付けガイドの外端面に、中心方向から差込んで嵌込んだブラシ部材の抜け出しを防止するストッパー壁が設けられているため、ブラシ回転盤が高速回転しても、その遠心力によってブラシ部材がブラシ取付けガイドの内部から抜け出ることがなく、床面の洗浄を支障無く続けることができると共に、ブラシ部材の交換時にはブラシ取付けガイドの中心側には上記のストッパー壁に相当するものがないため、ブラシ部材の抜き取りと挿入を容易に行って、ブラシ部材の交換を素早く行うことを可能にする。
【００１２】
【発明の実施の形態】
以下に、本発明に係る床面洗浄機用ブラシ装置の実施の形態を図面と共に説明すると、図１は本発明の構成を説明した底面図、図２はその拡大正断面図、図３は他の実施例の構成を説明した正断面図であって、図中、１はモータによって高速回転されるブラシ回転盤で、１Ａはこの回転盤１の中央に設けた回転軸用の取付穴、２…はブラシ回転盤１の底面に円周方向に間隔をあけて設けたブラシ取付けガイドで、全体を断面略枠型形状に形成したこれ等のブラシ取付けガイド２…は、上記の取付穴１Ａを中心にして放射状、又は、放射状に近い形状に並べて設けられている。
【００１３】
３…は底面に多数のブラシ４…を植毛して構成したブラシ部材で、これ等の各ブラシ部材３…は上記ブラシ回転盤１の底面に設けた各ブラシ取付けガイド２…の内部に対して、前記取付穴１Ａを設けたブラシ回転盤１の中央部側から、夫々放射線方向に差込んで嵌込むことができるように構成されており、また、この様にブラシ部材３を嵌込む各ブラシ取付けガイド２は、ブラシ部材３に植毛されている各ブラシ４…を底面に向けて突出できる様に、図２並びに図３に示す断面図の如く断面略枠型形状に形成され、且つ、その外端側には嵌込んだブラシ部材３の飛び出しを防止するストッパー壁２′が形成されている。
【００１４】
図２に於いて、５…はブラシ取付けガイド２…内に嵌込んだブラシ部材３の上面と、このガイド２の天井板２Ｔとの空間部２Ａ内に介在したバネ材で、全体を断面略逆ヘ字形の板状に形成した各バネ材５の中間部分には、下方に向けて中央部５Ａが突出形成されている。
【００１５】
５Ｙは、上記天井板２Ｔに設けた係止溝２Ｙに係止する上記バネ材５の一端部、５Ｘは上記ストッパー壁２′とブラシ部材３との間に挟持される同じくバネ材５の他端部で、上記の如く構成したバネ材５は、下方に向けて突出する中央部５Ａを、上記ブラシ部材３の上面中央部に設けた嵌込溝３Ａに嵌込むことにより、ブラシ部材３を位置決めし、且つ、その弾発力によってブラシ部材３を下側に弾圧して、ブラシ部材３の嵌込み状態が維持される仕組に成っている。
【００１６】
尚、図３に示した実施例では、ブラシ取付けガイド３の天井板２Ｔと、ブラシ部材３の上面の間の空間部２Ａ内に、断面略ヘ字形の板状に形成したバネ材５′を介在し、且つ、このバネ材５′の中間部に上方に向けて突出形成した中央部５Ｖを、上記天井板２Ｔの面に凹設した嵌込溝２Ｖに嵌込むと共に、両端部５Ｋ，５Ｋをブラシ部材３の上面の両端に形成した係止溝３′…に夫々係止するように構成されていて、前記図１と図２に示した実施例と同様に、ブラシ部材３の位置決めと下方への弾圧、並びに、ブラシ取付けガイド２に対する嵌込み状態の維持が図られる仕組に成っている。
【００１７】
本発明に係る床面洗浄機用ブラシ装置は以上述べた如き構成であるから、これを例えば特開平９−２９９３０３号公報の図１に記載のような床面洗浄機に取付けてモータで高速回転すれば、床面をきれいにブラシ洗浄することができるのであるが、本発明では特に、各ブラシ取付けガイド２内に嵌込まれた各ブラシ部材３は、各バネ材５又は５′の弾発作用を受けて下方に弾圧された状態でその取付状態（嵌込み状態）が維持され、加えて、各バネ材５，５′はその突出した中央部５Ａ又は５Ｖを嵌込溝３Ａ又は２Ｖに嵌込んで、ほぼ点の状態でブラシ部材３を弾圧支持するため、ブラシ部材３を床面に対して夫々ユニバーサルな動きをさせることができるものであって、このバネ材５又は５′の優れた弾性作用によって、各ブラシ部材３…の面を床面に均一に接触させて、ブラシ洗浄に於ける洗浄ムラを無くすことができる。
【００１８】
また、以上の如く各ブラシ取付けガイド２内に嵌込まれた各ブラシ部材３は、これを弾圧するバネ材５又は５′の係止を外すことにより、容易に取外して新しいものと交換することができる。
【００１９】
尚、図示した実施例では各バネ材５，５′をブラシ部材３とブラシ取付けガイド２の天井板２Ｔとの空間部２Ａ内に介在させることにより、弾発力を発揮するように構成しているが、上記の天井板２Ｔを設けずに、代りにブラシ回転盤１の底面を天井板として用いて、これに嵌込溝２Ｖや係止溝２Ｙを設けるようにしてもよく、その選択は任意とする。
【００２０】
【発明の効果】
以上述べた次第で、本発明に係る床面洗浄機用ブラシ装置によれば、ブラシ取付けガイド内に介在させたバネ材の弾発力を受けて、各ブラシ部材が床面に対して弾性的な圧力を受けて接触するので、床面に凹凸や傾斜があってもバネ材の弾性がこれ等を吸収して自在に対応し、また、ブラシの摩耗や新しいブラシの交換等によってブラシ面に段差が生じても、これ等の段差も同様にバネ材の弾性が均一に吸収するため、床面の洗浄ムラを無くしてきれいに洗浄することができるものであって、ブラシ部材の交換を簡単に行える点、並びに、腰の硬いブラシと柔らかなブラシを組合せて使用することを可能にした点と相俟って、各種の床面洗浄機に実施して洵に好適なものである。
【図面の簡単な説明】
【図１】  本発明に係る床面洗浄機用ブラシ装置の構成を説明した底面図である。
【図２】  図１に示したブラシ装置を拡大して示した正断面図である。
【図３】  本発明の他の実施例の構成を説明した正断面図である。
【符号の説明】
１              ブラシ回転盤
２              ブラシ取付けガイド
２′            ストッパー壁
２Ｔ            天井板
２Ｖ            嵌込溝
２Ｙ            係止溝
３              ブラシ部材
３Ａ            嵌込溝
３′            係止溝
４              ブラシ
５，５′        バネ材
５Ａ，５Ｖ      中央部
５Ｙ，５Ｋ      端部
【図１】
0003676214.tif 000002
【図２】
0003676214.tif 000003
【図３】
0003676214.tif 000004